(57)【要約】【課題】  所定高さに適応できる強度と表面の十分な取付固定強度とが、パネル厚を増加させずに設定可能で、耐火特性と遮音特性にも優れた間仕切壁体を提供する。【解決手段】  軽量薄型のパネル１が補強スタッド５により施工性よく堅固に補強された補強パネル７が組み込まれ、パネル１の厚みを増加することなく全体の強度を向上させることが可能で、補強パネルと、ボード材１４の内面に対接する柱状体１１の周囲に形成される繊維質部材１３とが、対向するボード材１４間に、互いに重合配設され耐火特性と遮音特性を向上させることが可能で、補強パネルと繊維質部材１３の配置位置の制御により、柱状体１１と対向する補強パネル間の空気層を調整して遮音特性の制御が可能で、間仕切壁体１０の長手方向における補強スタッド５と柱状体１１間距離の選択により、規格サイズのボード材１４の両端を適確堅固に固定し、別途外部加重体の確実安全な固定に対応することも可能になる。【選択図】  図１
2005336842.tif 000002
【特許請求の範囲】
【請求項１】
ボード材が所定直線方向に互いに対向して延長配設され、前記ボード材の対向空間内に、軽量薄型パネルが補強スタッドで補強された補強パネルの複数個が、前記所定直線方向に配設されて構成される間仕切壁体であり、
前記対向空間内において、前記所定直線方向に直角な幅方向に千鳥状に順次位置をずらして、前記所定直線方向に配設される前記複数の補強パネルと、
前記対向空間内において、千鳥状に配設される前記複数の補強パネルの側面とそれぞれ対向する前記ボード材の内面位置に対応して、それぞれ配設される複数の柱状体と、
前記複数の柱状体が配設される前記対向空間において、前記複数の補強パネルの側面と対応する前記内面位置間の領域に充填配設される繊維質部材と
を有することを特徴とする間仕切壁体。
【請求項２】
補強パネルは、軽量薄型パネルに形成された凹溝部に、補強スタッドに形成された嵌合部が、前記軽量薄型パネルの長手方向または幅方向の全域にわたって嵌合固定されて構成されていることを特徴とする請求項１記載の間仕切壁体。
【請求項３】
補強パネルの補強スタッドと柱状体の少なくとも一方が、ボード材の内面に対接配設されていることを特徴とする請求項１または請求項２に記載の間仕切壁体。
【請求項４】
軽量薄型パネルの凹溝部に、嵌合部が嵌合される補強スタッドの表面が、前記軽量薄型パネルの前記凹溝部以外の表面に一致するように、前記軽量薄型パネルに前記補強スタッドが嵌合固定されていることを特徴とする請求項２または請求項３記載の間仕切壁体。
【請求項５】
補強スタッドが軽量薄型パネルの凹溝部に固定部材により固定され、該固定部材の固定軸と前記軽量薄型パネルの前記凹溝部以外の表面とのなす角度が、１５°ないし７５°であることを特徴とする請求項２ないし請求項４の何れかに記載の間仕切壁体。
【請求項６】
補強スタッドに、複数の軽量薄型パネルが互いに隣接状態で嵌合固定されていることを特徴とする請求項１ないし請求項５の何れかに記載の間仕切壁体。
【請求項７】
軽量薄型パネルの外部加重位置に対応して凹溝部が形成され、補強ステッドが嵌合部で前記凹溝部に嵌合固定されていることを特徴とする請求２ないし請求項６の何れかに記載の間仕切壁体。
【請求項８】
軽量薄型パネルの表面に第１の凹溝部が、前記軽量薄型パネルの裏面に第２の凹溝部がそれぞれ形成され、第１の補強スタッドが前記第１の凹溝部に、第２の補強スタッドが前記第２の凹溝部にそれぞれ嵌合固定されていることを特徴とする請求項２ないし請求項７の何れかに記載の間仕切壁体。
【請求項９】
軽量薄型パネルがＡＬＣパネルであり、該ＡＬＣパネルの厚みが３５ｍｍ以上７５ｍｍ未満であることを特徴とする請求項１ないし請求項８の何れかに記載の間仕切壁体。
【発明の詳細な説明】
【技術分野】
【０００１】
本発明は間仕切壁体に係り、特にＡＬＣパネルなどの軽量薄型パネルを用いて組立構成され、建築材として使用される間仕切壁体に関する。
【背景技術】
【０００２】
ＡＬＣ（Ａｕｔｏｃｌａｖｅｄ  Ｌｉｇｈｔｗｅｉｇｈｔ  Ａｅｒａｔｅｄ  Ｃｏｎｃｒｅｔ；オートクレーブ発泡コンクリート）は、我が国では軽量薄型パネルに成形されて使用されており、このように成形されたＡＬＣパネルは、軽量で作業現場での運搬や保管に便利で、遮音性、耐水性、耐火性に優れているために、一般建築物や高層建築物の外壁、屋根、床、間仕切壁などに施工性よく広く使用されている。
この種の軽量薄型パネルとしては、ＡＬＣパネル以外にも、石膏ボードパネルなど各種の製品が製造使用されているが、建築材として使用する場合には、その強度と共に、特に都会地の建築物に使用する場合には、火災に対する耐熱性と遮音性とが重要な特性となる。
例えば、ＡＬＣパネルを外壁材に利用する場合に、完成後の外壁の総厚を薄くするために、厚みが７５ｍｍ以下のＡＬＣパネルを使用すると、パネル強度の面で問題が生じ、所定の高さを越える外壁、具体的には３ｍを越える高さの外壁には使用できないことが知られている。
【０００３】
この問題を解決するために、後記する特許文献２には、複数の薄い間仕切パネルを所望の長さになるまで隣接配置し、これらの間仕切パネルの両側縁部に、該両側面部に嵌合する嵌合面を備えたスタッドを全長にわたって嵌合配置し、ピンや螺子などの接合材により固定する組立パネルが開示されている。
一方で、強度、遮音性及び耐火性の問題を解決し、ＡＬＣパネルを主要な構成素子として構成した間仕切壁が、後記する特許文献１に開示されており、開示に係る間仕切壁は、図９に示すように、ＡＬＣパネル１７の両端を梁スラブ２４と床スラブ２５とにそれぞれ固定し、梁スラブ２４と床スラブ２５間に、複数のＡＬＣパネル１７を千鳥状に位置をずらして配設し、ＡＬＣパネル１７の板面に対接して、繊維質材１２を板状に充填配設し、ＡＬＣパネル１７と繊維質材１２の外面を挟むようにして、珪酸カルシュウム板などの耐火ボード１８、１９を配設したものであり、この間仕切壁１６は遮音等級Ｄ−５５を実現している。
【０００４】
しかし、この間仕切壁１６では、ＡＬＣパネル１７の固定には、断面がコ字状の取付金具２１、アンカー２２及び取付金具２５を使用し、ＡＬＣパネル１７の両端を固定する方式が採用されているので、取付作業が煩雑で製造コスト上でも問題が生じる。また、強度上の安全性と遮音等級Ｄ−４５以上を実現するためには、厚みが７５ｍｍ以上の厚型のＡＬＣパネルを使用する必要があり、このようにすると、間仕切壁１６の全体の厚みが１５０ｍｍ以上と大型化され、製造コストが上昇すると共に、建築空間の有効利用上で問題が生じる。
さらに、ＡＬＣパネル１７の面上での強度が十分に得られないことがあり、例えば、ＡＬＣパネル１７の表面に耐火ボード１８、１９を螺子やピンなどの固定部材で取り付ける場合に、ＡＬＣパネル１７表面の取り付け強度の不足で、耐火ボード１８、１９が完全に取り付けられない事態が発生することがある。
【０００５】
【特許文献１】特開平８−９３０９４号公報
【特許文献２】特開２０００−３２８６９６号公報
【発明の開示】
【発明が解決しようとする課題】
【０００６】
本発明は、前述したようなこの種の間仕切壁の現状に鑑みてなされたものであり、その目的は、所定高さの壁体に適応できる強度と、表面の十分な取付固定強度とが、パネル厚を増加させずに簡単に設定可能で、且つ耐火特性と遮音特性に優れた間仕切壁体を提供することにある。
【課題を解決するための手段】
【０００７】
前記目的を達成するために、請求項１記載の第１の発明は、ボード材が所定直線方向に互いに対向して延長配設され、前記ボード材の対向空間内に、軽量薄型パネルが補強スタッドで補強された補強パネルの複数個が、前記所定直線方向に配設されて構成される間仕切壁体であり、前記対向空間内において、前記所定直線方向に直角な幅方向に千鳥状に順次位置をずらして、前記所定直線方向に配設される前記複数の補強パネルと、前記対向空間内において、千鳥状に配設される前記複数の補強パネルの側面とそれぞれ対向する前記ボード材の内面位置に対応して、それぞれ配設される複数の柱状体と、前記複数の柱状体が配設される前記対向空間において、前記複数の補強パネルの側面と対応する前記内面位置間の領域に充填配設される繊維質部材とを有することを特徴とするものである。
【０００８】
第１の発明によると、ボード材が所定直線方向に互いに対向して延長配設され、ボード材の対向空間内に、軽量薄型パネルが補強スタッドで補強された補強パネルの複数個が、所定直線方向に配設されて間仕切壁体が構成されているが、複数個の補強パネルが、対向空間内において、所定直線方向に直角な幅方向に千鳥状に順次位置をずらして所定直線方向に配設され、対向空間内において、千鳥状に配設される複数の補強パネルの側面とそれぞれ対向するボード材の内面位置に対応して、複数の柱状体がそれぞれ配設され、複数の柱状体が配設される対向空間において、複数の補強パネルの側面と対応する内面位置間の領域に繊維質部材が充填配設されている。
このために、補強スタッドで補強された補強パネルにより、全体の強度が増大すると共に、ボード材の対向空間内に、補強パネルと繊維質部材とが、所定直線方向に直角に隣接して配置され、補強パネルと合わせて間仕切壁体の耐火特性と遮音特性が向上する。
【０００９】
同様に前記目的を達成するために、請求項２記載の第２の発明は、第１の発明において、補強パネルが、軽量薄型パネルに形成された凹溝部に、補強スタッドに形成された嵌合部が、前記軽量薄型パネルの長手方向または幅方向の全域にわたって嵌合固定されて構成されていることを特徴とするものである。
【００１０】
第２の発明によると、第１の発明において、補強パネルが、軽量薄型パネルに形成された凹溝部に、補強スタッドに形成された嵌合部が、前記軽量薄型パネルの長手方向または幅方向の全域にわたって嵌合固定されているので、軽量薄型パネルの長手方向または幅方向に十分に補強された補強パネルを備え、高強度で堅固な間仕切壁体が、パネル厚みを増加せずに簡単な作業で製造コストを削減して安定に取得される。
【００１１】
同様に前記目的を達成するために、請求項３記載の第３の発明は、第１の発明または第２の発明において、補強パネルの補強スタッドと柱状体の少なくとも一方が、ボード材の内面に対接配設されていることを特徴とするものである。
【００１２】
第３の発明によると、第１の発明または第２の発明での作用に加えて、補強パネルの補強スタッドと柱状体の少なくとも一方が、ボード材の内面に対接配設されているので、補強パネルと柱状体の少なくとも一方で、ボード材を堅固に安定して固定することにより、ボード材の剥がれがなく耐火特性が向上する。
【００１３】
同様に前記目的を達成するために、請求項４記載の第４の発明は、第２の発明または第３の発明において、軽量薄型パネルの凹溝部に、嵌合部が嵌合される補強スタッドの表面が、前記軽量薄型パネルの前記凹溝部以外の表面に一致するように、前記軽量薄型パネルに前記補強スタッドが嵌合固定されていることを特徴とするものである。
【００１４】
第４の発明によると、第２の発明または第３の発明において、軽量薄型パネルの凹溝部に、嵌合部が嵌合される補強スタッドの表面が、前記軽量薄型パネルの前記凹溝部以外の表面に一致するように、前記軽量薄型パネルに前記補強スタッドが嵌合固定されているので、第２の発明または第３の発明での作用に加えて、補強パネル体の表面が、軽量薄型パネルの表面に一致し、補強パネル体と軽量薄型パネルの外径寸法とが一致するので、施工作業の利便性が向上し、補強パネル体の表面に突起がないので、ボード材による表面仕上げが安定確実に且つ外観美を損なわずに行なわれる。
【００１５】
同様に前記目的を達成するために、請求項５記載の第５の発明は、第２の発明２ないし第４の発明の何れかの発明において、補強スタッドが軽量薄型パネルの凹溝部に固定部材により固定され、該固定部材の固定軸と前記軽量薄型パネルの前記凹溝部以外の表面とのなす角度が、１５°ないし７５°であることを特徴とするものである。
【００１６】
第５の発明によると、第２の発明２ないし第４の発明の何れかの発明において、補強スタッドが軽量薄型パネルの凹溝部に固定部材により固定され、該固定部材の固定軸と前記軽量薄型パネルの前記凹溝部以外の表面とのなす角度が、１５°ないし７５°であるので、第２の発明ないし第４の発明の何れかの発明での作用に加えて、１５°以下の角度での施工の困難性を避け、７５°以上での固定保持力の低下を避けて、補強スタッドの嵌合部の軽量薄型パネルの凹溝部への固定部材による固定が、施工性よく且つ高保持力を維持して行なわれる。
【００１７】
同様に前記目的を達成するために、請求項６記載の第６の発明は、第１の発明ないし第５の発明の何れかの発明において、補強スタッドに、複数の軽量薄型パネルが互いに隣接状態で嵌合固定されていることを特徴とするものである。
【００１８】
第６の発明によると、第１の発明ないし第５の発明の何れかの発明において、補強スタッドに、複数の軽量薄型パネルが互いに隣接状態で嵌合固定されているので、第１の発明ないし第５の発明の何れかの発明での作用に加えて、補強スタッドに嵌合固定される軽量薄型パネルの数を選択することにより、補強パネルの長さが、補強スタッド方向に簡単に延長設定される。
【００１９】
同様に前記目的を達成するために、請求項７記載の第７の発明は、第１の発明ないし第６の発明の何れかの発明において、軽量薄型パネルの外部加重位置に対応して凹溝部が形成され、補強スタッドが嵌合部で前記凹溝部に嵌合固定されていることを特徴とするものである。
【００２０】
第７の発明によると、第１の発明ないし第６の発明の何れかの発明での作用に加えて、軽量薄型パネルの外部加重位置に対応して凹溝部が形成され、補強スタッドが嵌合部で前記凹溝部に嵌合固定されているので、加重位置に対して、補強スタッドによる強度の補強が適確に行なわれる。
【００２１】
同様に前記目的を達成するために、請求項８記載の第８の発明は、第１の発明ないし第７の発明の何れかの発明において、軽量薄型パネルの表面に第１の凹溝部が、前記軽量薄型パネルの裏面に第２の凹溝部がそれぞれ形成され、第１の補強スタッドが第１の凹溝部に、第２の補強スタッドが第２の凹溝部にそれぞれ嵌合固定されていることを特徴とするものである。
【００２２】
第８の発明によると、第１の発明ないし第７の発明での作用に加えて、軽量薄型パネルの表面に第１の凹溝部が、軽量薄型パネルの裏面に第２の凹溝部がそれぞれ形成され、第１の補強スタッドが第１の凹溝部に、第２の補強スタッドが第２の凹溝部にそれぞれ嵌合固定されているので、軽量薄型パネルの補強が表裏両面でより強力に行なわれる。
【００２３】
同様に前記目的を達成するために、請求項９記載の第９の発明は、第１の発明ないし第８の発明の何れかの発明において、軽量薄型パネルが、ＡＬＣパネルであり、該ＡＬＣパネルの厚さが３５ｍｍ以上７５ｍｍ未満であることを特徴とするものであることを特徴とするものである。
【００２４】
第９の発明によると、軽量薄型パネルとしてＡＬＣパネルを選択し、該ＡＬＣパネルの厚さが３５ｍｍ以上７５ｍｍ未満であるものを使用して、第１の発明ないし第８の発明での作用が実行される。
【発明の効果】
【００２５】
第１の発明によると、ボード材が所定直線方向に互いに対向して延長配設され、ボード材の対向空間内に、軽量薄型パネルが補強スタッドで補強された補強パネルの複数個が、所定直線方向に配設されて間仕切壁体が構成されているが、複数個の補強パネルが、対向空間内において、所定直線方向に直角な幅方向に千鳥状に順次位置をずらして、所定直線方向に配設され、対向空間内において、千鳥状に配設される複数の補強パネルの側面とそれぞれ対向するボード材の内面位置に対応して、複数の柱状体がそれぞれ配設され、複数の柱状体が配設される対向空間において、複数の補強パネルの側面と対応する内面位置間の領域に繊維質部材が充填配設されているので、補強スタッドで補強された補強パネルにより、全体の強度が増大すると共に、ボード材の対向空間内に、補強パネルと繊維質部材とが、所定直線方向に直角に隣接して配置されることにより、補強パネルと合わせて間仕切壁体の耐火特性と遮音特性を向上させることが可能になる。
【００２６】
第２の発明によると、第１の発明で得られる効果に加えて、軽量薄型パネルに形成された凹溝部に、補強スタッドに形成された嵌合部が、軽量薄型パネルの長手方向または幅方向の全域にわたって嵌合固定されて、補強パネルが構成されているので、軽量薄型パネルの長手方向または幅方向に十分に補強された補強パネルによって、高強度で堅固な間仕切壁体が、パネル厚みを増加せずに簡単な作業で製造コストを削減して安定に取得することが可能になる。
【００２７】
第３の発明によると、第１の発明または第２の発明で得られる効果に加えて、補強パネルの補強スタッドと柱状体の少なくとも一方が、ボード材の内面に対接配設されているので、補強パネルと柱状体の少なくとも一方で、ボード材を堅固に安定して固定することが可能になり、ボード材の剥がれを防止し耐火特性を向上させることが可能になる。
【００２８】
第４の発明によると、第２の発明または第３の発明において、軽量薄型パネルの凹溝部に、嵌合部が嵌合される補強スタッドの表面が、前記軽量薄型パネルの前記凹溝部以外の表面に一致するように、前記軽量薄型パネルに前記補強スタッドが嵌合固定されているので、第２の発明または第３の発明で得られる効果に加えて、補強パネル体の表面が、軽量薄型パネルの表面に一致し、補強パネル体と軽量薄型パネルの外径寸法とが一致するので、施工作業の利便性を向上させることが可能になり、補強パネル体の表面に突起がないので、ボード材による表面仕上げを、安定確実に且つ外観美を損なわずに行なうことが可能になる。
【００２９】
第５の発明によると、第２の発明２ないし第４の発明の何れかの発明において、補強スタッドが軽量薄型パネルの凹溝部に固定部材により固定され、該固定部材の固定軸と前記軽量薄型パネルの前記凹溝部以外の表面とのなす角度が、１５°ないし７５°であるので、第２の発明ないし第４の発明の何れかの発明で得られる効果に加えて、１５°以下の角度での施工の困難性を避け、７５°以上での固定保持力の低下を避けて、補強スタッドの嵌合部の軽量薄型パネルの凹溝部への固定部材による固定を、施工性よく且つ高保持力を維持して行なうことが可能になる。
【００３０】
第６の発明によると、第１の発明ないし第５の発明の何れかの発明において、補強スタッドに、複数の軽量薄型パネルが互いに隣接状態で嵌合固定されているので、第１の発明ないし第５の発明の何れかの発明で得られる効果に加えて、補強スタッドに嵌合固定される軽量薄型パネルの数を選択することにより、補強パネルの長さを、補強スタッド方向に簡単に延長設定することが可能になる。
【００３１】
第７の発明によると、第１の発明ないし第６の発明の何れかの発明で得られる効果に加えて、軽量薄型パネルの外部加重位置に対応して凹溝部が形成され、補強スタッドが嵌合部で前記凹溝部に嵌合固定されているので、加重位置に対して、補強スタッドによる強度の補強を適確に行なうことが可能になる。
【００３２】
第８の発明によると、第１の発明ないし第７の発明で得られる効果に加えて、軽量薄型パネルの表面に第１の凹溝部が、軽量薄型パネルの裏面に第２の凹溝部がそれぞれ形成され、第１の補強スタッドが第１の凹溝部に、第２の補強スタッドが第２の凹溝部にそれぞれ嵌合固定されているので、軽量薄型パネルの補強を表裏両面でより強力に行なうことが可能になる。
【００３３】
第９の発明によると、軽量薄型パネルとしてＡＬＣパネルを選択し、該ＡＬＣパネルの厚さが３５ｍｍ以上７５ｍｍ未満であるものを使用して、第１の発明ないし第８の発明で得られる効果を実現することが可能になる。
【発明を実施するための最良の形態】
【００３４】
［第１の実施の形態］
本発明の第１の実施の形態を、図１及び図２と図４ないし図８とを参照して説明する。
図１は本実施の形態の構成を示す一部切開斜視図、図２は本実施の形態の構成を示す断面図、図４は本実施の形態に用いられる柱状体の構成を示す斜視図、図５は本実施の形態に用いられる補強パネルの第１の例を示す斜視説明図、図６は図５の断面説明図、図７は本実施の形態に用いられる補強パネルの第２の例を示す斜視説明図、図８は本実施の形態に用いられる補強パネルの第３の例を示す斜視説明図である
【００３５】
本実施の形態では、図１に示すように、床スラブ１５の上面と図示せぬ梁スラブの下面に図示せぬランナが配設されており、長方体状のＡＬＣパネルが軽量薄型のパネル１として選択され、このパネル１の厚みは３５ｍｍ〜７５ｍｍに選定され、図５（ｂ）に示すように、パネル１の表面のほぼ中央位置には、パネル１の長手方向に沿って刻設される２本の凹溝２によって、断面が台形波状の凹溝部３が形成されている。  そして、この凹溝部３に嵌合される嵌合部６を備えた補強スタッド５が、細長い金属薄板により形成され、この補強スタッド５には、凹溝部３の台形波状の断面に対接嵌合する嵌合部６が、補強スタッド５の板面を凸状に屈曲させることにより形成されている。
このようにして形成される補強スタッド５の嵌合部６が、図６（ｂ）に示すように、パネル１の凹溝部３に互いに面を対接させて嵌合され、固定ピン８によって、パネル１の凹溝部３以外の表面と、固定ピン８の固定軸が角度θをなすような方向に、パネル１に補強スタッド５がピン止め固定されている。
この場合、θ＝１５°以下の角度でピン止めが行なわれると施工上の困難性が生じるが、θ＞１５°とすることにより、施工上の困難性を避けており、また、θ＝７５°以上の角度でピン止めが行なわれると、固定保持力が低下するが、θ＜７５°とすることにより固定保持力の低下を避けている。このように、固定ピン８の固定軸と、パネル１の凹溝部３以外の表面とのなす角度θを、７５°＞θ＞１５°に設定することにより、補強スタッド５の嵌合部６のパネル１の凹溝部３への固定部材による固定が、施工性よく且つ高保持力を維持して行なわれている。
【００３６】
このようにして、補強スタッド５が、パネル１の凹溝部３に対して、パネル１の長手方向の全域にわたって、嵌合部６によって嵌合固定されているので、パネル１の長手方向に十分に補強された堅固な補強パネル７が簡単な工程で組立られ、このような補強パネル７の複数個が、図１及び図２に示すように、床スラブ１５の長手方向に図示せぬランナに沿って、且つ床スラブ１５の幅方向に、隣接する補強パネル７の位置を千鳥状にずらして、図示せぬ固定部材によってランナに固定されている。
このようにして、複数個の補強パネル７が、床スラブ１５上の空間内において、床スラブ１５の長手方向に直角に千鳥状に順次位置をずらして配設されており、床スラブ１５上の空間内において、千鳥状に配設される複数の補強パネル７の側面に対向する床スラブ１５上の空間には、金属材の柱状体１１がそれぞれ配設され、これら複数の柱状体１１が配設される空間において、それぞれの補強パネル７の側面に対向する空間領域には、ロックウールなどの繊維質材１２がそれぞれ充填配設されている。
そして、床スラブ１５上に対接して配設される補強パネル７と、繊維質材１２の充填で形成される繊維質部材１３とを挟むようにして、ボード材１４が補強パネル７の、補強スタッド５と、繊維質部材１３の柱状体１１とに、螺子などの固定部材により固定されている。
本実施の形態では、柱状体１１としては金属材が使用され、図４（ｂ）に示すように、断面コ字状のもの、同図（ａ）に示すように、断面コ字状でコ字端部に内屈曲部が形成されたもの、同図（ｃ）に示すように断面がロ字状のものなどが使用され、繊維質材１２は必要に応じて柱状体１１の中空部にも充填される。
【００３７】
この場合、補強スタッド７と柱状体１１との床スラブ１５の長手方向の間隔を、ボード材１４の尺貫法に適合する一般的な長さ規格値３０３ｍｍに設定することにより、ボード材１４の両端部が補強スタッド７と柱状体１１にそれぞれ適確に固定され、強固な取付強度が得られ、ボード材１４の端部の浮きや剥がれが防止される。例えば、尺貫法で２尺×８尺のボード材１４は、メートル法では９１０ｍｍ×１８２０ｍｍとなり、補強スタッド７と柱状体１１との間隔が３０３ｍｍに設定されていると、このボード材１４の横方向の両端部は、補強スタッド７または柱状体１１の位置に配置される。
【００３８】
また、パネル１の凹溝部３に嵌合固定される補強スタッド５の表面は、パネル１の凹溝部３以外の表面に一致するように、パネル１に補強スタッド５が嵌合固定されているので、補強パネル体７の表面がパネル１の表面に一致し、補強パネル７とパネル１の外径寸法とが一致することになり、施工作業の利便性が高められている。さらに、補強パネル体７の表面には突起がないので、補強パネル７の表面に、ボード材１４を固定する場合に、相互の面が密着対接し、固定取り付け作業が効率的に且つ凹凸なく綺麗に行なわれる。
さらに、補強パネル７に外部加重が印加される位置、本実施の形態では前述したように、ボード材１４の固定位置に対応して、パネル１に凹溝部３が形成され、この凹溝部３に補強スタッド５の嵌合部６が嵌合固定されているので、本実施の形態ではボード材１４が堅固に補強パネル７に固定されている。
【００３９】
このようにして、本実施の形態では、補強スタッド５で補強された補強パネル７により、パネル厚を厚くすることなく、全体の強度の増大が行なわれると共に、ボード材１４の対向空間内に、補強パネル７と繊維質部材１３とが、対接して間仕切壁体１０の厚み方向に配置されることにより、間仕切壁体１０の耐火特性が向上される。さらに、柱状体１１はボード材１４のみに接し、柱状体１１を中心にする繊維質部材１３が対応する補強パネル７に対接配置され、柱状体１１と補強パネル７との間には空気間隙が存在するので、音の振動伝播が空気層で減衰され高い遮音特性が得られる。この場合、間仕切壁体１０内において、それぞれのボード材１４側の補強パネル７と繊維質部材１３の交互配列層は互いに独立しており、両者間の配列位置の微調整によって、柱状体１１と対向する補強パネル７間での全体的な空気量の調整を行なうことにより遮音特性が高められる。
【００４０】
ところで、間仕切壁体１０に、図５に示す第１例の補強パネル７に代えて、図７に示す第２例の補強パネル７Ａを使用すると、補強スタッド５にパネル１が２個とパネル１よりも長いパネル１Ａが１個の計３個のパネルが、補強スタッド５に隣接して嵌合固定されているので、パネルサイズと個数を選択することにより、補強パネル７Ａの長さの選択が行なわれる。
また、間仕切壁体１０に、図８に示す第３例の補強パネル７Ｂを使用すると、第２例の補強パネル７Ａの裏面側にも、補強スタッド５が嵌合固定されているので、補強パネル７Ｂの強度がさらに向上する。
【００４１】
以上に説明したように、本実施の形態に係る間仕切壁体１０には、軽量薄型のパネル１が補強スタッド５により施工性よく堅固に補強された補強パネル７、７Ａ、７Ｂの何れかが組み込まれ、パネル１の厚みを増加することなく全体の強度を向上させることが可能になり、補強パネルと、ボード材１４の内面に対接する柱状体１１の周囲に形成される繊維質部材１３とが、対向するボード材１４間に、互いに重合配設定されているために、耐火特性と遮音特性を向上させることが可能になり、さらに、補強パネルと繊維質部材１３の配置位置の制御により、柱状体１１と対向する補強パネル間の空気層を調整して遮音特性を制御することが可能になる。
さらに、間仕切壁体１０の長手方向における補強スタッド５と柱状体１１間距離を選択することにより、規格サイズのボード材１４の両端を適確堅固に固定したり、別途外部加重体の確実安全な固定に対応することも可能になる。
【００４２】
［第２の実施の形態］
本発明の第２の実施の形態を、図３を参照して説明する。
図３は本実施の形態の構成を示す断面図である。
【００４３】
本実施の形態は、図３に示すように、対向するボード材１４間の空間に、互いに千鳥状に位置をずらして隣接配置される補強パネル７の端部１ａが、補強パネル７の長手方向で所定距離互いに重なり合って配置され、両端部１ａ間に繊維質材１２が存在している。
本実施の形態のその他の部分の構成は、すでに説明した第１の実施の形態と同一なので、重複する説明は行なわない。
【００４４】
本実施の形態によると、すでに説明した第１の実施の形態で得られる効果に加えて、間仕切壁体１０の長手方向の一部において、その幅方向に補強パネル７の端部１ａを、繊維質材１２を挟んで重合配設することにより、耐火特性と遮音特性とをさらに向上させることが可能になる。
【００４５】
なお、以上に説明した各実施の形態では、パネル体１としてＡＬＣパネルを使用し、補強スタッド５として金属板を使用した場合を説明したが、本発明は、これらの実施の形態に限定されるものではなく、パネル体１としては、木片セメント板、石膏ボード、珪酸カルシュウム板、さらには、ガラス繊維、カーボン繊維或いはアスベスト繊維入りのボードなどを使用することも可能であり、補強ステッド５としてフッ素樹脂などの耐熱性合成樹脂板を使用することも可能である。
また、各実施の形態では、固定ピン８を固定部材として使用し、凹溝部３の断面形状が台形波状である場合を説明したが、本発明はこれらの実施の形態に限定されるものではなく、例えば、固定ピン８に代えて螺子を使用することができ、凹溝部３の断面形状も、多角形波形状、正弦波形状など各種の形状を選択することが可能であり、さらに、補強スタッド５により、パネル１を幅方向に補強することも可能である。
【図面の簡単な説明】
【００４６】
【図１】本発明の第１の実施の形態の構成を示す一部切開斜視図である。
【図２】同実施の形態の構成を示す断面図である。
【図３】本発明の第２の実施の形態の構成を示す断面図である。
【図４】各実施の形態に用いられる柱状体の構成を示す斜視図である。
【図５】各実施の形態に用いられる補強パネルの第１の例を示す斜視説明図である。
【図６】図５の断面説明図である。
【図７】各実施の形態に用いられる補強パネルの第２の例を示す斜視説明図である。
【図８】各実施の形態に用いられる補強パネルの第３の例を示す斜視説明図である。
【図９】従来の間仕切壁体の構成を示す一部切開斜視図である。
【符号の説明】
【００４７】
１  パネル
２  凹溝
３  凹溝部
５  補強スタッド
６  嵌合部
７、７Ａ、７Ｂ  補強パネル
８  固定ピン
１０  間仕切壁体
１１  柱状体
１２  繊維質材
１３  繊維質部材
１４  ボード板
１５  床スラブ
【図１】
2005336842.tif 000003
【図２】
2005336842.tif 000004
【図３】
2005336842.tif 000005
【図４】
2005336842.tif 000006
【図５】
2005336842.tif 000007
【図６】
2005336842.tif 000008
【図７】
2005336842.tif 000009
【図８】
2005336842.tif 000010
【図９】
2005336842.tif 000011